(57)【要約】【課題】外被が伸縮しても、光ファイバが曲がってしまうことを抑制する光コネクタ及び光コネクタ付きコードを提供する。【解決手段】スプリング押し部６０は、光ファイバコード２００のうち抗張力体２２２のみが固定される第１固定部６１と、光ファイバコード２００のうち外被２３０のみが固定されて第１固定部６１に対して光ファイバコード２００が伸びる方向にスライド可能に設けられる第２固定部６２と、を備えることを特徴とする。【選択図】図１１
2013041094.tif 000002
【特許請求の範囲】
【請求項１】
光ファイバと、該光ファイバの外周に設けた抗張力体と、該抗張力体の外周に設けた外被とを備えた光ファイバコードにおける先端から口出しされた光ファイバに取り付けられ、
前記光ファイバを内挿固定したフェルールと、前記フェルールを収容するコネクタハウジングと、前記コネクタハウジングの後部に取り付けられ、前記フェルールを前方に付勢するスプリングが反力をとるスプリング押し部とを備え、
前記スプリング押し部は、前記抗張力体が固定される第１固定部と、前記第１固定部に対して光ファイバ長手方向に移動可能に設けられる、前記外被が固定される第２固定部とを備えることを特徴とする光コネクタ。
【請求項２】
前記第１固定部及び第２固定部は、光ファイバ長手方向に対して傾斜する傾斜面同士がスライドするように構成されており、これら第１固定部及び第２固定部のうちの少なくとも一方は、第１固定部と第２固定部が互いに離れる方向に移動することによって弾性復元力が高まるように弾性変形することを特徴とする請求項１に記載の光コネクタ。
【請求項３】
前記抗張力体の先端は２方向に分けられており、かつ前記外被の先端は２方向かつ前記抗張力体の先端方向とは異なる方向に分けられており、
前記抗張力体における２方向に分けられた先端部を第１固定部の外面に固定する環状の第１止め具と、
前記外被における２方向に分けられた先端部を第２固定部の外面に固定する環状の第２止め具と、を備えることを特徴とする請求項１または２に記載の光コネクタ。
【請求項４】
第２止め具は、加圧変形によって、前記外被を第２固定部の外面との間に挟み込み、前記抗張力体については第２固定部の外面との間に挟み込まないことを特徴とする請求項３に記載の光コネクタ。
【請求項５】
光ファイバと、該光ファイバの外周に設けた抗張力体と、該抗張力体の外周に設けた外被とを備え、
その先端から前記光ファイバが口出しされており、口出しされた前記光ファイバに光コネクタが取り付けられており、
前記光コネクタは、口出しされた前記光ファイバを内挿固定したフェルールと、前記フェルールを収容するコネクタハウジングと、前記コネクタハウジングの後部に取り付けられ、前記フェルールを前方に付勢するスプリングが反力をとるスプリング押し部とを備え、
前記スプリング押し部は、前記抗張力体が固定される第１固定部と、前記第１固定部に対して光ファイバ長手方向に移動可能に設けられる、前記外被が固定される第２固定部とを備えることを特徴とする光コネクタ付きコード。
【発明の詳細な説明】
【技術分野】
【０００１】
本発明は、光ファイバコードの先端に取り付けられる光コネクタ及び光コネクタ付きコードに関するものである。
【背景技術】
【０００２】
一般的に、光ファイバコードの先端に光コネクタが取り付けられた光コネクタ付きコードが知られている。従来例に係る光コネクタ付きコードにおいては、光ファイバコード端末から延出させた抗張力体と外被を、光コネクタのスプリング押し部後端部に対して外被を被せ、その外側から止め具（カシメリング）を加締めて固定していた。
【先行技術文献】
【特許文献】
【０００３】
【特許文献１】特開２００２−１４８４８５号公報
【特許文献２】特開２００２−３１７４１号公報
【発明の概要】
【発明が解決しようとする課題】
【０００４】
従来の光コネクタでは、環境温度の変化に伴って、光ファイバや抗張力体は殆ど伸縮しないのに対して、外被は伸縮する。そのため、外被が縮んだ時に、光ファイバに微小な曲がり（マイクロベント）が生じ、光学特性が悪化することがあった。
【０００５】
本発明の目的は、外被が縮んでも、光ファイバに曲がりが生じるのを抑制する光コネクタ及び光コネクタ付きコードを提供することにある。
【課題を解決するための手段】
【０００６】
本発明は、上記課題を解決するために以下の手段を採用した。
【０００７】
すなわち、本発明の光コネクタは、
光ファイバと、該光ファイバの外周に設けた抗張力体と、該抗張力体の外周に設けた外被とを備えた光ファイバコードにおける先端から口出しされた光ファイバに取り付けられ、
前記光ファイバを内挿固定したフェルールと、前記フェルールを収容するコネクタハウジングと、前記コネクタハウジングの後部に取り付けられ、前記フェルールを前方に付勢するスプリングが反力をとるスプリング押し部とを備え、
前記スプリング押し部は、前記抗張力体が固定される第１固定部と、前記第１固定部に対して光ファイバ長手方向に移動可能に設けられる、前記外被が固定される第２固定部とを備えることを特徴とする。
【０００８】
また、本発明の光コネクタ付きコードは、
光ファイバと、該光ファイバの外周に設けた抗張力体と、該抗張力体の外周に設けた外被とを備え、
その先端から前記光ファイバが口出しされており、口出しされた前記光ファイバに光コネクタが取り付けられており、
前記光コネクタは、口出しされた前記光ファイバを内挿固定したフェルールと、前記フェルールを収容するコネクタハウジングと、前記コネクタハウジングの後部に取り付けられ、前記フェルールを前方に付勢するスプリングが反力をとるスプリング押し部とを備え、
前記スプリング押し部は、前記抗張力体が固定される第１固定部と、前記第１固定部に対して光ファイバ長手方向に移動可能に設けられる、前記外被が固定される第２固定部とを備えることを特徴とする。
【０００９】
本発明によれば、環境温度の変化に伴って外被が伸縮した場合には、外被が固定されている第２固定部が第１固定部に対して光ファイバ長手方向に移動し、抗張力体や光ファイバへの影響を抑制することができる。これにより、外被が縮んでも、光ファイバが曲がってしまうことを抑制することができる。
【００１０】
前記第１固定部及び第２固定部は、光ファイバ長手方向に対して傾斜する傾斜面同士がスライドするように構成されており、これら第１固定部及び第２固定部のうちの少なくとも一方は、第１固定部と第２固定部が互いに離れる方向に移動することによって弾性復元力が高まるように弾性変形するとよい。
【００１１】
このような構成を採用すれば、外被が縮んで第２固定部が第１固定部から離れる方向に移動した後に、外被が伸びた場合、外被が伸びる力に加えて、弾性変形する固定部による弾性復元力が加わるため、より確実に第２固定部を元の位置に戻すことができる。
【００１２】
前記抗張力体の先端は２方向に分けられており、かつ前記外被の先端は２方向かつ前記抗張力体の先端方向とは異なる方向に分けられており、
前記抗張力体における２方向に分けられた先端部を第１固定部の外面に固定する環状の第１止め具と、
前記外被における２方向に分けられた先端部を第２固定部の外面に固定する環状の第２止め具と、を備えるとよい。
【００１３】
こうすることで、第２固定部は第１固定部に対して移動させることが可能となる。
【００１４】
第２止め具は、加圧変形によって、前記外被を第２固定部の外面との間に挟み込み、前記抗張力体については第２固定部の外面との間に挟み込まないとよい。
【００１５】
このような構成を採用することによって、第２固定部に対して、光ファイバコードのうち外被のみを固定し、抗張力体については固定しないようにすることができる。
【００１６】
なお、上記各構成は、可能な限り組み合わせて採用し得る。
【発明の効果】
【００１７】
以上説明したように、本発明によれば、外被が伸縮しても、光ファイバが曲がってしまうことを抑制することができる。
【図面の簡単な説明】
【００１８】
【図１】図１は本発明の実施形態に係る光コネクタ付きコードの斜視図である。
【図２】図２は本発明の実施形態に係る光コネクタ付きコードの平面図である。
【図３】図３は本発明の実施形態に係る光コネクタ付きコードの側面図である。
【図４】図４は本発明の実施形態に係る光コネクタの正面図である。
【図５】図５は本発明の実施形態に係る光コネクタ付きコードの一部破断断面図である。
【図６】図６は本発明の実施形態に係る光コネクタ付きコードの部品展開図である。
【図７】図７は本発明の実施形態に係るスプリング押し部の斜視図である。
【図８】図８は本発明の実施形態に係るスプリング押し部の断面図である。
【図９】図９は本発明の実施形態に係る光コネクタ付きコードの主要部を示す斜視図である。
【図１０】図１０は本発明の実施形態に係る光コネクタ付きコードの主要部の縦断面図である。
【図１１】図１１は本発明の実施形態に係る光コネクタ付きコードの主要部の縦断面図である。
【図１２】図１２は本発明の実施形態に係る光コネクタ付きコードの主要部の横断面図である。
【発明を実施するための形態】
【００１９】
以下に図面を参照して、この発明を実施するための形態を例示的に詳しく説明する。ただし、この実施形態に記載されている構成部品の寸法、材質、形状、その相対配置などは、特に特定的な記載がない限りは、この発明の範囲をそれらのみに限定する趣旨のものではない。
【００２０】
図１〜図１２を参照して、本発明の実施形態に係る光コネクタ付きコードについて説明する。なお、以下の説明において、光ファイバコードの先端側を先端側（例えば、図２において左側）、その反対側を後端側とする。また、本実施形態においては、ＪＩＳ  Ｃ  ５９８１に制定されるＭＴ形光コネクタフェルールをコネクタハウジングの先端に収納した、ＪＩＳ  Ｃ  ５９８２に制定されるＭＴ形光コネクタプラグの場合を例にして説明する。
【００２１】
＜光コネクタ付きコード＞
特に、図１〜図６を参照して、本発明の実施形態に係る光コネクタ付きコード全体の構成等について説明する。図１は本実施形態に係る光コネクタ付きコードの斜視図であり、図２はその平面図であり、図３はその側面図である。また、図４は本実施形態に係る光コネクタの正面図（先端から見た図）である。図５は本発明の実施形態に係る光コネクタ付きコードを上面側から見た図であり、中心線から上側は断面（図３のＣＣ断面に相当し、光ファイバについては省略している）を示し、下側は外観を示している。図６は本発明の実施形態に係る光コネクタ付きコードの部品展開図であり、組み立て前の状態を示している。
【００２２】
本実施形態に係る光コネクタ付きコード１は、光ファイバコード２００と、この光ファイバコード２００の先端に取り付けられる光コネクタ１００とから構成される。
【００２３】
光ファイバコード２００は、光ファイバ２１０と、光ファイバ２１０の外周に設けられる抗張力体（ケブラ）２２０と、抗張力体２２０の外周に設けられる外被２３０とから構成される（特に、図５及び図６参照）。本実施形態に係る光ファイバ２１０は、多心光ファイバテープ心線であり、各光ファイバ２１０の先端の一部が裸ファイバ２１１となっている（図６参照）。また、外被２３０は、その先端の一部が２方向に分かれるように抗張力体２２０から剥離されている。以下、便宜上、２つに分かれた２つの先端部を、それぞれ第１外被先端部２３１、第２外被先端部２３２と称する。そして、抗張力体２２０の先端の一部は、外被２３０の先端よりも更に先端側に突き出るように、かつ２方向に分かれるように光ファイバ２１０から剥離されている。ここで、抗張力体２２０の先端部の分かれる方向は、外被２３０の先端部の分かれる方向に対して、中心軸線に対して回転方向におおよそ９０°ずれている。以下、便宜上、２つに分かれた２つの先端部を、それぞれ第１抗張力体先端部２２１、第２抗張力体先端部２２２と称する。
【００２４】
光コネクタ１００は、光ファイバコード２００における先端から口出しされた光ファイバ２１０に取り付けられる。この光コネクタ１００は、筒状のコネクタハウジング１０と、コネクタハウジング１０内に配置されるフェルール２０，ピンクランプ９０，スプリン
グ８０、及びスプリング押し部６０とを備えている。なお、ピンクランプ９０については、後述のように雄側の光コネクタ１００の場合にのみ設けられる。また、光コネクタ１００は、コネクタハウジング１０の外側に配置されるカップリング３０と、カップリング３０を付勢するカップリング用スプリング４０と、光ファイバコード２００をスプリング押し部６０に固定するための第１カシメリング７１及び第２カシメリング７２と、ブーツ５０も備えている。
【００２５】
フェルール２０は、コネクタハウジング１０内において、その先端の一部がコネクタハウジング１０の先端から突き出るように、かつ前後に移動が許容されるように設けられている。このフェルール２０は、光ファイバ２１０を保持固定する役割を担う部品であり、複数の光ファイバ２１０の裸ファイバ２１１の部分をそれぞれ固定する複数の光ファイバ穴２１が設けられている。また、コネクタハウジング１０内には、フェルール２０を先端方向に向けて付勢するスプリング８０が備えられている。
【００２６】
ここで、雄側の光コネクタ１００の場合には、スプリング８０の先端とフェルール２０との間に、ピンクランプ９０が設けられる。このピンクランプ９０は、クランプ本体９１と２本のガイドピン９２とから構成される。そして、フェルール２０には、これら２本のガイドピン９２に対応する２か所のピン穴２２が設けられている。雄側の光コネクタ１００の場合には、フェルール２０の後端側から、これら２か所のピン穴２２にそれぞれガイドピン９２が挿入されるようにして、ピンクランプ９０が設けられる。ガイドピン９２の先端は、フェルール２０の先端面よりも突出するように構成されている（例えば、図１参照）。雌側の光コネクタ１００の場合には、ピンクランプ９０は設けられておらず、フェルール２０における２か所のピン穴２２は開放された状態となっている。雄側の光コネクタ１００と雌側の光コネクタ１００とを接続する場合には、光コネクタアダプタ３００のコネクタ穴３１０に両側からそれぞれ雄側と雌側の光コネクタ１００を挿入する。これにより、雄側の光コネクタ１００における２本のガイドピン９２が、雌側の光コネクタ１００におけるフェルール２０の２か所のピン穴２２に差し込まれることで、光コネクタ１００（より具体的にはフェルール２０）同士が精度良く位置決めされる。
【００２７】
スプリング８０の後端側は、コネクタハウジング１０の内部における後部に固定されるスプリング押し部６０によって支持されている。このスプリング押し部６０により後端側が支持されたスプリング８０によって、雄側の光コネクタ１００の場合にはピンクランプ９０のクランプ本体９１を介して、雌側の光コネクタ１００の場合には直接的に、フェルール２０は先端方向に付勢される。フェルール２０の先端はコネクタハウジング１０の先端面から突き出た状態となっており、雄側と雌側の光コネクタ１００を接続させると、それぞれのフェルール２０の先端面同士が突き当たり、スプリング８０の付勢力に抗して、各フェルール２０は後端側に多少押し込まれた状態となる。これにより、雄側のフェルール２０と雌側のフェルール２０が互いに押し合う状態となるので、各フェルール２０の先端面同士がより確実に面接触した状態となる。なお、フェルール２０の後端側には鍔部２３が設けられており、フェルール２０が先端側に向かって移動すると、この鍔部２３がコネクタハウジング１０に設けられたストッパ１１に突き当たるように構成されている。従って、フェルール２０がコネクタハウジング１０の先端から抜け出してしまうことはない。
【００２８】
また、コネクタハウジング１０の先端付近には、係合凹所１２が設けられている（図５参照）。この係合凹所１２は、光コネクタ１００を固定させる相手側の部材（例えば、図１に示す光コネクタアダプタ３００）に設けられている係合爪（不図示）が係合されるために設けられている。この係合凹所１２は、通常、カップリング３０によって覆われている。すなわち、カップリング３０はカップリング用スプリング４０によって先端側に付勢されており、外力が作用していない状態においては、係合凹所１２はカップリング３０に
より覆われている。この状態においては、カップリング３０によって、上記不図示の係合爪が係合凹所１２から離脱できないため、光コネクタ１００が光コネクタアダプタ３００などの相手部材から不用意に外れてしまうことを抑制できる。また、カップリング３０をカップリング用スプリング４０の付勢力に抗して後端側に移動させることによって、係合凹所１２を露出させることができ、上記不図示の係合爪を係合凹所１２から離脱させることができる。これにより、光コネクタ１００を光コネクタアダプタ３００などの相手部材から取り外すことが可能となる。
【００２９】
また、コネクタハウジング１０の後端側には、ゴム等の柔軟性を有する素材で構成されたブーツ５０が取り付けられている。このブーツ５０によって、光ファイバコード２００における先端付近、つまり光ファイバ２１０や抗張力体２２０が外被２３０から突き出た部分が保護される。なお、ブーツ５０の後端には光ファイバコード２００が湾曲した状態になっても追随可能とする蛇腹部５１が設けられている。
【００３０】
＜スプリング押し部＞
特に、図５〜図８を参照して、本実施形態に係るスプリング押し部６０について、より詳しく説明する。なお、図７は本実施形態に係るスプリング押し部６０の斜視図であり、図８は本実施形態に係るスプリング押し部６０の断面図である。なお、図８は図３中のＣＣ断面中のスプリング押し部６０のみを示したものである。
【００３１】
本実施形態に係るスプリング押し部６０は、光コネクタ１００の先端側に配置される第１固定部６１と、第１固定部６１よりも後端側に配置され、かつ第１固定部６１に対して光ファイバ長手方向に移動可能に装着される第２固定部６２とから構成される。なお、本実施形態においては、第１固定部６１及び第２固定部６２は、成形上の観点から、幅方向の中心面に対して対称的な２部材を組み合わせる（固定する）ことにより構成されている。従って、図３中のＣＣ断面において、スプリング押し部６０については、切断面ではなく、第１固定部６１及び第２固定部６２をそれぞれ構成する２部材のうちの一方の部材を内側から見た図となっている（図８参照）。
【００３２】
第１固定部６１は、光ファイバ２１０が挿通される貫通孔６１ａと、先端部の両側に設けられる係合爪６１ｂと、後端側に設けられ抗張力体２２０が固定される抗張力体固定部６１ｃと、中央部付近で両側に突出するように設けられる突出部６１ｄと、抗張力体固定部６１ｃの両面に形成される嵌合凹部６１ｅとを備えている。ここで、係合爪６１ｂは、コネクタハウジング１０に設けられた係合孔１３に係合するように構成されている。そして、係合爪６１ｂを係合孔１３に係合させると、突出部６１ｄがコネクタハウジング１０に設けられた凹所１４に嵌合するように構成されている。これにより、スプリング押し部６０がコネクタハウジング１０に対して位置決めされた状態で固定される。
【００３３】
第２固定部６２は、光ファイバ２１０が挿通される貫通孔６２ａと、外被２３０が固定される外被固定部６２ｂと、第１固定部６１の嵌合凹部６１ｅに嵌合する嵌合凸部６２ｃと、外被固定部６２ｂの両側に形成される平面部６２ｄとを備えている。
【００３４】
そして、第２固定部６２における一対の嵌合凸部６２ｃを、第１固定部６１における一対の嵌合凹部６１ｅに嵌合させることによって、スプリング押し部６０が得られる。ここで、嵌合凸部６２ｃにおける平面状の内壁面６２ｃ１と、嵌合凹部６１ｅにおける平面状の外壁面６１ｅ１とは面同士が接触した状態となっており、第２固定部６２は第１固定部６１に対して、光ファイバ長手方向に移動可能に構成されている。
【００３５】
また、嵌合凸部６２ｃにおけるスライド面である内壁面６２ｃ１は、先端側に向かうにつれて内側に向かって傾斜する傾斜面となっている。一方、嵌合凹部６１ｅにおけるスラ
イド面である外壁面６１ｅ１は、後端側に向かうにつれて外側に向かって傾斜する傾斜面となっている。このような構成によって、第２固定部６２を第１固定部６１から離れる方向にスライドさせると、第２固定部６２における嵌合凸部６２ｃは外側に徐々に開くように弾性的に変形する。このような弾性変形が進むにつれて、嵌合凸部６２ｃの弾性復元力が高まっていく。この嵌合凸部６２ｃにおける弾性復元力は、第２固定部６２が第１固定部６１に近づく方向に戻ろうと作用する力となる。
【００３６】
＜スプリング押し部と光ファイバコードとの接続構造＞
特に、図５〜図１２を参照して、スプリング押し部６０と光ファイバコード２００との接続構造について、より詳細に説明する。ここで、図９は本発明の実施形態に係る光コネクタ付きコード１の主要部を示す斜視図であり、スプリング押し部６０と光ファイバコード２００との接続構造を示す斜視図である。図１０は本発明の実施形態に係る光コネクタ付きコード１の主要部の縦断面図であり、スプリング押し部６０と光ファイバコード２００との接続構造を示す縦断面図である。なお、図１０は図２中のＡＡ断面図のうちスプリング押し部６０と光ファイバコード２００との接続構造に係る部品を示した断面図である。図１１は本発明の実施形態に係る光コネクタ付きコード１の主要部の縦断面図であり、スプリング押し部６０と光ファイバコード２００との接続構造を示す縦断面図である。なお、図１１は図３中のＣＣ断面図のうちスプリング押し部６０と光ファイバコード２００との接続構造に係る部品を示した断面図である。図１２は本発明の実施形態に係る光コネクタ付きコード１の主要部の横断面図であり、スプリング押し部６０と光ファイバコード２００との接続構造を示す横断面図である。なお、図１２は図２中のＢＢ断面図のうちスプリング押し部６０と光ファイバコード２００との接続構造に係る部品を示した断面図である。
【００３７】
光ファイバコード２００のうち光ファイバ２１０は、スプリング押し部６０に設けられている貫通孔（貫通孔６１ａ及び貫通孔６２ａ）内に後端側から挿入される。なお、光ファイバ２１０の先端の裸ファイバ２１１の部分は、フェルール２０に設けられた光ファイバ穴２１に位置決めされた状態で固定される。なお、図１０及び図１１においては、内部構造を分かりやすくするために、光ファイバコード２００のうち光ファイバ２１０については省略している。
【００３８】
そして、光ファイバコード２００のうち抗張力体２２０は第１固定部６１の抗張力体固定部６１ｃに固定される。より具体的には、抗張力体２２０における２方向に分けられた第１抗張力体先端部２２１及び第２抗張力体先端部２２２が、第１固定部６１の抗張力体固定部６１ｃの両側に配置された状態で、環状の第１止め具である第１カシメリング７１によって加締められる（図５，９，１１参照）。ここで、第１抗張力体先端部２２１及び第２抗張力体先端部２２２は、外被２３０の先端よりも先端側に突出するように構成されており、外被２３０は第１カシメリング７１によっては加締められない。また、第１カシメリング７１は第２固定部６２の嵌合凸部６２ｃには接触しないように構成されており、第２固定部６２の第１固定部６１に対するスライド動作が妨げられることはない。
【００３９】
また、光ファイバコード２００のうち外被２３０は第２固定部６２の外被固定部６２ｂに固定される。より具体的には、外被２３０における２方向に分けられた第１外被先端部２３１及び第２外被先端部２３２が、第２固定部６２の外被固定部６２ｂの両面に配置された状態で、環状の第２止め具である第２カシメリング７２によって加締められる（図９，１０，１２参照）。ここで、第２固定部６２における平面部６２ｄと第２カシメリング７２の内周面との間には、第１抗張力体先端部２２１や第２抗張力体先端部２２２の厚みに対して十分大きな隙間が形成される。従って、第１抗張力体先端部２２１及び第２抗張力体先端部２２２は第２カシメリング７２によっては加締められない（特に図１２参照）。このように、第２カシメリング７２は、加締められることによって、外被２３０につい
ては第２固定部６２の外壁面に挟み込み、抗張力体２２０については第２固定部６２の外壁面に挟み込まない。
【００４０】
本実施形態においては、第１カシメリング７１及び第２カシメリング７２は、同一の部品を用いており、共通の加締め治具（不図示）によって加締め作業を行うことができる。なお、これら第１カシメリング７１及び第２カシメリング７２については、加締める前の断面形状は略楕円形であり、加締め治具によって加締められることで、加圧により変形されて、図９や図１２に示す形状となる。
【００４１】
＜本実施形態に係る光コネクタ付きコードの優れた点＞
本実施形態に係る光コネクタ付きコード１によれば、環境温度の変化に伴って外被２３０が伸縮した場合には、外被２３０が固定されている第２固定部６２が第１固定部６１に対してスライドする。そのため、外被２３０が伸縮しても、抗張力体２２０や光ファイバ２１０への影響を抑制することができる。これにより、外被２３０が伸縮しても、外被２３０を第２固定部６２によって適度に固定しているので、外被２３０がずれてしまうのを防ぎつつ、光ファイバ２１０が曲がってしまうことを抑制することができる。従って、光学特性が悪化してしまうことを抑制することができる。
【００４２】
また、本実施形態においては、第１固定部６１と第２固定部６２とは、これらのスライド方向に対して傾斜する傾斜面同士がスライドする構成を採用している。そして、第２固定部６２を第１固定部６１から離れる方向にスライドさせると、第２固定部６２における嵌合凸部６２ｃが徐々に外側に開くように弾性的に変形する構成を採用している。これにより、嵌合凸部６２ｃにおける弾性復元力は、第２固定部６２が第１固定部６１に近づく方向に戻ろうと作用する力となる。従って、環境温度の変化によって、外被２３０が縮んで第２固定部６２が第１固定部６１から離れる方向に移動した後に、外被２３０が伸びた場合、外被２３０が伸びる力に加えて、環状凸部６２ｃによる弾性復元力が加わるため、より確実に第２固定部６２を元の位置に戻すことができる。
【００４３】
（その他）
上記実施形態においては、第１固定部６１に嵌合凹部６１ｅを設けて、第２固定部６２に嵌合凸部６２ｃを設けることによって、第１固定部６１に対して第２固定部６２をスライド可能に嵌合（装着）する構成を示した。しかしながら、第１固定部６１に対して第２固定部６２をスライド可能に嵌合（装着）可能な構成であれば、そのような構成に限定されるものではない。例えば、第１固定部６１側に嵌合凸部を設けて、第２固定部６２側に嵌合凹部を設ける構成を採用することも可能である。
【００４４】
また、上記実施形態では、抗張力体２２０を第１固定部６１の抗張力体固定部６１ｃの両側で加締めによって固定し、外被２３０を第２固定部６２の外被固定部６２ｂの両面で加締めによって固定する構成を示した。しかしながら、両者の固定位置はこれに限られるものではない。例えば、抗張力体２２０を第１固定部６１の抗張力体固定部の両面で加締めによって固定し、外被２３０を第２固定部６２の外被固定部の両側で加締めによって固定する構成を採用することもできる。なお、この場合には、第１固定部６１及び第２固定部６２にそれぞれ設ける嵌合凹部と嵌合凸部を両面ではなく両側に設け、かつ第２固定部６２に設ける平面部を両側ではなく両面に設けるとよい。
【００４５】
また、上記実施形態では、スプリング押し部６０に対して光ファイバコード２００が固定される部分（すなわち、第１固定部６１の抗張力体固定部６１ｃと第２固定部６２の外被固定部６２ｂ（一般的に、竹の子ジョイントと呼ばれる））は横断面が略楕円形状の筒状の場合を示した。しかしながら、当該部分の形状はこれに限られるものではなく、例えば、略円筒状であってもよい。
【符号の説明】
【００４６】
１…光コネクタ付きコード，１０…コネクタハウジング，２０…フェルール，６０…スプリング押し部，６１…第１固定部，６２…第２固定部，７１…第１カシメリング，７２…第２カシメリング，８０…スプリング，１００…光コネクタ，２００…光ファイバコード，２１０…光ファイバ，２２０…抗張力体，２３０…外被
【図１】
2013041094.tif 000003
【図２】
2013041094.tif 000004
【図３】
2013041094.tif 000005
【図４】
2013041094.tif 000006
【図５】
2013041094.tif 000007
【図６】
2013041094.tif 000008
【図７】
2013041094.tif 000009
【図８】
2013041094.tif 000010
【図９】
2013041094.tif 000011
【図１０】
2013041094.tif 000012
【図１１】
2013041094.tif 000013
【図１２】
2013041094.tif 000014